(57)【特許請求の範囲】
【請求項１】
所定の印刷濃度を有する単色の画像とほぼ一致するように該単色とは異なる複数色の画像を重ねて印刷した試し刷りと、前記単色の画像に印刷濃度を所定濃度ずつ増加させた前記複数色の各色の各画像を重ね印刷した色見本とを印刷したカラーサンプルシートを用いて、前記試し刷りに最も近い前記色見本が選択され、該選択された前記色見本の濃度配分に応じて印刷濃度を増減させた前記試し刷りが印刷され、該試し刷りが前記色見本の最小配分濃度に合うまで繰り返すことを特徴としたカラー画像濃度調整方法。
【請求項２】
前記単色はブラックであり、前記試し刷りは、シアン、マゼンタ、イエローの各画像を重ね印刷したハーフトーングレーである請求項１記載のカラー画像濃度調整方法。
【請求項３】
前記色見本は、前記単色の画像にシアン、マゼンタ、イエロー、イエローとマゼンタとからなるレッド、イエローとシアンとからなるグリーン、シアンとマゼンタとからなるブルーの各色を所定濃度ずつ増加させたそれぞれの画像を重ね印刷した請求項２記載のカラー画像濃度調整方法。
【請求項４】
行列の桝目で構成され、第１の色で印刷濃度を所定濃度ずつ増加させたｎ種類の画像を順に列方向に印刷し、該列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、該ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、該ｎ行ずつ印刷されたｎ種類で各ｎ個の画像をそれぞれ各列に印刷することで、前記桝目には濃度の異なる、前記第１の色、前記第２の色、前記第３の色を重ねたハーフトーンの色見本が印刷されたカラーサンプルシートを用いて、前記色見本が選択され、該選択された前記色見本の濃度配分に応じて印刷濃度を調整することを特徴としたカラー画像濃度調整方法。
【請求項５】
前記第１の色はイエロー、前記第２の色はマゼンタ、前記第３の色はシアンである請求項４記載のカラー画像濃度調整方法。
【請求項６】
所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、
所定の印刷濃度を有する単色の画像とほぼ一致するように該単色とは異なる複数色の各画像を重ねた試し刷りの画像と、前記単色の画像に印刷濃度を所定濃度ずつ増加させた前記複数色の各色の各画像を重ねた色見本とを印刷するカラーバランス調整パターンを格納したカラーバランス調整パターン格納手段と、
カラーバランス調整パターンを読み出し、前記印刷手段によりカラーサンプルシートを印刷するカラーサンプルシート出力手段と、
前記色見本と対応させた入力値を入力する操作部と、
前記入力値と前記複数色の各濃度を調整する濃度調整指示値とを対応させたテーブルを格納した濃度調整テーブル格納手段と、
前記操作部から入力された入力値に基づいて前記テーブルから濃度調整指示値を選択し、該濃度調整指示値により前記複数色の各画像の各濃度を調整する濃度調整手段とを備えたことを特徴とするカラー画像濃度調整装置。
【請求項７】
前記単色はブラックであり、前記カラーバランス調整パターンは、シアン、マゼンタ、イエローの各画像を重ね印刷したハーフトーングレーの試し刷りと、ｍ行ｎ列の桝目で構成され、１行目からｍ行目にはそれぞれシアン、マゼンタ、イエロー、イエローとマゼンタとからなるレッド、イエローとシアンとからなるグリーン、シアンとマゼンタとからなるブルーの各色が割り当てられ、１列目からｎ列目には前記単色の画像にそれぞれ各色の印刷濃度を所定濃度ずつ増加させた画像を重ね印刷した各色の色見本とから構成される請求項６記載のカラー画像濃度調整装置。
【請求項８】
前記単色はブラックであり、前記カラーバランス調整パターンは、測色系ＣＩＥ  Ｌａｂ色空間に合わせ、シアン、マゼンタ、イエローの各画像を重ねた所定の印刷濃度のブラックの画像とほぼ一致するハーフトーングレーの試し刷りを中央部に印刷し、シアン、マゼンタ、イエロー、イエローとマゼンタとからなるレッド、イエローとシアンとからなるグリーン、シアンとマゼンタとからなるブルーの各色の色見本が前記試し刷りから彩度方向にほぼ等間隔色差になるように配置された請求項６記載のカラー画像濃度調整装置。
【請求項９】
所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、
行列の桝目で構成され、第１の色で印刷濃度を所定濃度ずつ増加させたｎ種類の画像を順に列方向に印刷し、該列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、該ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、該ｎ行ずつ印刷されたｎ種類で各ｎ個の画像をそれぞれ各列に印刷することで、前記桝目には濃度の異なる、前記第１の色、前記第２の色、前記第３の色を重ねたハーフトーンの色見本が構成されるカラーバランス調整パターンを格納したカラーバランス調整パターン格納手段と、
カラーバランス調整パターンを読み出し、前記印刷手段によりカラーサンプルシートを印刷するカラーサンプルシート出力手段と、
前記色見本と対応させた入力値を入力する操作部と、
前記入力値と前記複数色の各濃度を調整する濃度調整指示値とを対応させたテーブルを格納した濃度調整テーブル格納手段と、
前記操作部から入力された入力値に基づいて前記テーブルから濃度調整指示値を選択し、該濃度調整指示値により前記複数色の各画像の各濃度を調整する濃度調整手段とを備えたことを特徴とするカラー画像濃度調整装置。
【請求項１０】
前記第１の色はイエロー、前記第２の色はマゼンタ、前記第３の色はシアンである請求項９記載のカラー画像濃度調整装置。
【請求項１１】
前記カラーバランス調整パターンは、さらに、前記色見本の周囲に印刷濃度を所定濃度ずつ増加させたブラックの画像をそれぞれ有するｎ個のパターンからなる請求項１０記載のカラー画像濃度調整装置。
【請求項１２】
前記濃度調整指示値は、前記感光体表面を露光する露光時間である請求項６または９記載のカラー画像濃度調整装置。
【請求項１３】
所定の印刷濃度を有する単色の画像とほぼ一致するように該単色とは異なる複数色の画像を重ね印刷した試し刷りと、ｍ行ｎ列の桝目で構成され、１行目からｍ行目にはそれぞれ前記複数色の各色あるいは各色を組合せた色が割り当てられ、１列目からｎ列目にはそれぞれ各色の印刷濃度を所定濃度ずつ増加させ、前記単色の画像と重ね印刷した各色の色見本とから構成されることを特徴としたカラーサンプルシート。
【請求項１４】
測色系ＣＩＥ  Ｌａｂ色空間に合わせ、所定の印刷濃度を有する単色の画像とほぼ一致するように該単色とは異なる複数色の画像を重ね印刷した試し刷りが中央部に印刷され、前記単色の画像に、前記複数色の各色あるいは各色を組合せた色の画像をそれぞれ重ね印刷した各色の色見本が前記試し刷りから彩度方向にほぼ等間隔色差になるように印刷されることを特徴としたカラーサンプルシート。
【請求項１５】
前記単色はブラックであり、前記複数色はそれぞれイエロー、マゼンタ、シアンであり、前記単色に重ねられる各色はそれぞれイエロー、マゼンタ、シアン、イエローとマゼンタとからなるレッド、イエローとシアンとからなるグリーン、シアンとマゼンタとからなるブルーである請求項１３または１４記載のカラーサンプルシート。
【請求項１６】
行列の桝目で構成され、第１の色で印刷濃度を所定濃度ずつ増加させたｎ種類の画像を順に列方向に印刷し、該列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、該ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、該ｎ行ずつ印刷されたｎ種類で各ｎ個の画像をそれぞれ各列に印刷することで、前記桝目には濃度の異なる、前記第１の色、前記第２の色、前記第３の色を重ねたハーフトーンの色見本が印刷されることを特徴としたカラーサンプルシート。
【請求項１７】
前記第１の色はイエロー、前記第２の色はマゼンタ、前記第３の色はシアンである請求項１６記載のカラーサンプルシート。
【発明の詳細な説明】
【０００１】
【発明の属する技術分野】
本発明は記録媒体にカラー画像を記録するカラー画像記録装置のカラー画像濃度調整方法とその装置とカラーサンプルシートとに関する。
【０００２】
【従来の技術】
従来、カラー画像記録装置に搭載される画像形成装置においては、部品のバラツキ、経時変化、環境変化等によって各色の画像形成装置の濃度が合わないことがある。
【０００３】
そこで、カラー画像記録装置に濃度調整パターンを持たせてオペレータに調整させてカラーのバランスを合わせるようにしている。
【０００４】
オペレータは、濃度調整パターンによりイエロー、マゼンタ、シアンの混合比を変えたグレー濃度の試し刷りを行い、基準濃度となるブラック色の色見本と濃度が一致するまで、数十回繰り返して色合わせしている。
【０００５】
【発明が解決しようとする課題】
従来の画像形成装置にあっては、濃度調整する場合、イエロー、マゼンタ、シアンの混合比を変えたグレー濃度の試し刷りを行い、基準濃度となるブラック色の色見本と濃度が一致するまで、数十回繰り返して色合わせしなければならず、濃度調整に時間がかかるという問題点があった。
【０００６】
本発明は濃度調整を短時間で行えるカラー画像記録装置のカラー画像濃度調整方法とその装置とカラーサンプルシートとを提供することを目的としている。
【０００７】
【課題を解決するための手段】
上記目的を達成するために本発明のカラー画像調整方法においては、所定の印刷濃度を有する単色の画像とほぼ一致するように該単色とは異なる複数色の画像を重ね印刷した試し刷りと、単色の画像に印刷濃度を所定濃度ずつ増加させた複数色の各色の各画像を重ね印刷した色見本とを印刷したカラーサンプルシートを用いて、試し刷りに最も近い色見本が選択され、選択された色見本の濃度配分に応じて印刷濃度を増減させた試し刷りが印刷され、試し刷りが色見本の最小配分濃度に合うまで繰り返す。また、上記目的を達成するために本発明のカラー画像調整方法においては、行列の桝目で構成され、第１の色で印刷濃度を所定濃度ずつ増加させたｎ種類の画像を順に列方向に印刷し、列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、ｎ行ずつ印刷されたｎ種類で各ｎ個の画像をそれぞれ各列に印刷することで、桝目には濃度の異なる、第１の色、第２の色、第３の色を重ねたハーフトーンの色見本が印刷されたカラーサンプルシートを用いて、色見本が選択され、選択された色見本の濃度配分に応じて印刷濃度を調整する。
【０００８】
また、上記目的を達成するために本発明のカラー画像濃度調整装置においては、所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、所定の印刷濃度を有する単色の画像とほぼ一致するように単色とは異なる複数色の各画像を重ねた試し刷りの画像と、単色の画像に印刷濃度を所定濃度ずつ増加させた複数色の各色の各画像を重ねた色見本とを印刷するカラーバランス調整パターンを格納したカラーバランス調整パターン格納手段と、カラーバランス調整パターンを読み出し、印刷手段によりカラーサンプルシートを印刷するカラーサンプルシート出力手段と、色見本と対応させた入力値を入力する操作部と、入力値と複数色の各濃度を調整する濃度調整指示値とを対応させたテーブルを格納した濃度調整テーブル格納手段と、操作部から入力された入力値に基づいてテーブルから濃度調整指示値を選択し、濃度調整指示値により複数色の各画像の各濃度を調整する濃度調整手段とを備える。また、上記目的を達成するために本発明のカラー画像濃度調整装置においては、所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、行列の桝目で構成され、第１の色で印刷濃度を所定濃度ずつ増加させたｎ種類の画像を順に列方向に印刷し、列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、ｎ行ずつ印刷されたｎ種類で各ｎ個の画像をそれぞれ各列に印刷することで、桝目には濃度の異なる、第１の色、第２の色、第３の色を重ねたハーフトーンの色見本が構成されるカラーバランス調整パターンを格納したカラーバランス調整パターン格納手段と、カラーバランス調整パターンを読み出し、印刷手段によりカラーサンプルシートを印刷するカラーサンプルシート出力手段と、色見本と対応させた入力値を入力する操作部と、入力値と複数色の各濃度を調整する濃度調整指示値とを対応させたテーブルを格納した濃度調整テーブル格納手段と、操作部から入力された入力値に基づいてテーブルから濃度調整指示値を選択し、濃度調整指示値により複数色の各画像の各濃度を調整する濃度調整手段とを備える。
【０００９】
また、上記目的を達成するために本発明のカラーサンプルシートは、所定の印刷濃度を有する単色の画像とほぼ一致するように単色とは異なる複数色の画像を重ね印刷した試し刷りと、ｍ行ｎ列の桝目で構成され、１行目からｍ行目にはそれぞれ複数色の各色あるいは各色を組合せた色が割り当てられ、１列目からｎ列目にはそれぞれ各色の印刷濃度を所定濃度ずつ増加させ、単色の画像と重ね印刷した各色の色見本とから構成される。
【００１０】
また、上記目的を達成するために本発明のカラーサンプルシートは、測色系ＣＩＥ  Ｌａｂ色空間に合わせ、所定の印刷濃度を有する単色の画像とほぼ一致するように単色とは異なる複数色の画像を重ね印刷した試し刷りが中央部に印刷され、単色の画像に、複数色の各色あるいは各色を組合せた色の画像をそれぞれ重ね印刷した各色の色見本が試し刷りから彩度方向にほぼ等間隔色差になるように印刷される。また、上記目的を達成するために本発明のカラーサンプルシートは、行列の桝目で構成され、第１の色で印刷濃度を所定濃度ずつ増加させたｎ種類の画像を順に列方向に印刷し、列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、ｎ行ずつ印刷されたｎ種類で各ｎ個の画像をそれぞれ各列に印刷することで、桝目には濃度の異なる、第１の色、第２の色、第３の色を重ねたハーフトーンの色見本が印刷される。
【００１１】
【発明の実施の形態】
本発明の実施の形態について図面を参照しながら説明する。尚、各図面に共通な要素には同一符号を付す。
【００１２】
第１の実施の形態
図２は第１の実施の形態によるカラー画像記録装置の概略図、図３は第１の実施の形態によるカラー画像記録装置の概略図（２）である。
【００１３】
カラー画像記録装置１１には、４組の第１〜第４の印刷機構Ｐ１〜Ｐ４が記録媒体２１の搬送方向に沿って順にタンデム型に配設され、第１〜第４の印刷機構Ｐ１〜Ｐ４は、いずれも電子写真方式のＬＥＤ（発光ダイオード）プリント機構から成る。
【００１４】
第１の印刷機構Ｐ１は、イエローの画像形成部１２Ｙ、露光手段としてのＬＥＤヘッド１３Ｙ、転写手段としての転写ローラ１４Ｙから成る。
【００１５】
第２の印刷機構Ｐ２は、マゼンタの画像形成部１２Ｍ、露光手段としてのＬＥＤヘッド１３Ｍ、転写手段としての転写ローラ１４Ｍから成る。
【００１６】
第３の印刷機構Ｐ３は、シアンの画像形成部１２Ｃ、露光手段としてのＬＥＤヘッド１３Ｃ、転写手段としての転写ローラ１４Ｃから成る。
【００１７】
第４の印刷機構Ｐ４は、ブラックの画像形成部１２ＢＫ、露光手段としてのＬＥＤヘッド１３ＢＫ、転写手段としての転写ローラ１４ＢＫから成る。
【００１８】
各画像形成部１２Ｙ、１２Ｍ、１２Ｃ、１２ＢＫは、いずれも同じ構造を有し、軸１５を中心にして矢印ａ方向に回転させられる感光体ドラム１６、感光体ドラム１６の表面を一様にかつ均一に帯電させる帯電手段としての帯電ローラ１７、及び静電潜像を現像してトナー像を形成する現像手段としての現像器１８から成る。
【００１９】
現像器１８は、半導電性ゴム材から成る現像ローラ１９を有し、図示せぬ現像ブレード及びスポンジローラが圧接され、周囲にトナー収容部が配設される。
【００２０】
また、クリーニングブレードが感光体ドラム１６に圧接させて配設され、転写後に感光体ドラム１６の表面に残留した図示せぬトナーを削り落とす。そして、削り落とされたトナーはスパイラルスクリューによって図示せぬ廃トナーボックスに蓄えられる。
【００２１】
次に、各画像形成部１２Ｙ、１２Ｍ、１２Ｃ、１２ＢＫにおける現像器１８の機能について説明する。
【００２２】
トナー収容部から供給された非磁性１成分のトナーは、スポンジローラを介して現像ローラ１９に送られ、現像ブレードによって現像ローラ１９の表面において薄層化され、感光体ドラム１６との接触面に達する。トナーは、薄層化されるときに現像ローラ１９及び現像ブレードによって強く擦（こす）られて帯電させられる。本実施の形態において、トナーは負の極性に帯電させられ、反転現像が行われる。
【００２３】
次に、ＬＥＤヘッド１３Ｙ、１３Ｍ、１３Ｃ、１３ＢＫについて説明する。ＬＥＤヘッド１３Ｙ、１３Ｍ、１３Ｃ、１３ＢＫは、図示せぬＬＥＤアレイ、ＬＥＤアレイを駆動する図示せぬドライブＩＣ、ドライブＩＣを搭載する図示せぬ基板、ＬＥＤアレイの光を集光する図示せぬロッドレンズアレイ等から成り、図示せぬインタフェース部を介して上位装置から送信されるカラーの画像データに従ってＬＥＤアレイを選択的に発光させ、感光体ドラム１６の表面に静電潜像を形成する。そして、静電潜像に現像ローラ１９上のトナーが静電気力によって付着させられ、トナー像が形成される。
【００２４】
なお、各ＬＥＤヘッド１３Ｙ、１３Ｍ、１３Ｃ、１３ＢＫは、ばね１７ａによって図における下方に向けて押圧される。また、各感光体ドラム１６と転写ローラ１４Ｙ、１４Ｍ、１４Ｃ、１４ＢＫとの間の各転写部を、搬送手段として搬送ベルト２０が走行し、各感光体ドラム１６と転写ローラ１４Ｙ、１４Ｍ、１４Ｃ、１４ＢＫとが搬送ベルト２０を挟んで対向している。
【００２５】
そして、画像形成部１２Ｙ、１２Ｍ、１２Ｃ、１２ＢＫの各現像器１８にはイエロー、マゼンタ、シアン、ブラックの各トナーが収容される。また、ＬＥＤヘッド１３Ｙ、１３Ｍ、１３Ｃ、１３ＢＫには、イエローの画像データ、マゼンタの画像データ、シアンの画像データ、ブラックの画像データがそれぞれ送信される。
【００２６】
通常、画像形成部１２Ｙ、１２Ｍ、１２Ｃ、１２ＢＫは、図に示されるように作動位置に置かれるが、図示せぬ昇降用のモータを駆動することによってカムシャフト２２及び偏心カム２３を回転させることにより、画像形成部１２Ｙ、１２Ｍ、１２Ｃ、１２ＢＫを回動させて退避位置に置き、各感光体ドラム１６を搬送ベルト２０から離すことができる。
【００２７】
各ＬＥＤヘッド１３Ｙ、１３Ｍ、１３Ｃ、１３ＢＫはカラー画像記録装置１１のアッパカバー１１ａに取り付けられているので、アッパカバー１１ａを開くことによって、各ＬＥＤヘッド１３Ｙ、１３Ｍ、１３Ｃ、１３ＢＫを各画像形成部１２Ｙ、１２Ｍ、１２Ｃ、１２ＢＫから取り外し、画像形成部１２Ｙ、１２Ｍ、１２Ｃ、１２ＢＫを着脱することができる。
【００２８】
搬送ベルト２０は、高抵抗の半導電性プラスチックフィルムから成り、継目の無いエンドレス状に形成され、駆動ローラ３１、従動ローラ３２及び張設ローラ３３間に張設される。
【００２９】
なお、搬送ベルト２０の抵抗値は、記録媒体２１が搬送ベルト２０に静電気力によって吸着され、かつ、記録媒体２１が搬送ベルト２０から分離させられたときに、搬送ベルト２０に残存する静電気が自然に除電されるような範囲に設定されてある。
【００３０】
駆動ローラ３１は、第１の駆動手段としての図示せぬモータに連結され、モータによって矢印ｆ方向に回転させられ、搬送ベルト２０を走行させる。また、張設ローラ３３は、図示せぬばねによって矢印ｇ方向に付勢され、搬送ベルト２０にテンションを加えている。
【００３１】
搬送ベルト２０の上半部２０ａは、第１〜第４の印刷機構Ｐ１〜Ｐ４の転写ローラ１４Ｙ、１４Ｍ、１４Ｃ、１４ＢＫを通して張設され、搬送ベルト２０の下半部２０ｂは、張設ローラ３３とクリーニングブレード３４の先端との間を通して張設される。
【００３２】
クリーニングブレード３４は、可撓性のゴム材又はプラスチック材から成り、搬送ベルト２０の表面に残留したトナーを廃トナータンク３５に削り落とす。
【００３３】
図２における右下側に配設された給紙機構３６は、用紙収容カセット、ホッピング機構及びレジストローラ４５から成り、用紙収容カセットには、記録媒体収容箱３７、押上板３８及び押圧手段３９が設けられている。
【００３４】
ホッピング機構は、弁別手段４０、ばね４１及び給紙ローラ４２から成り、弁別手段４０をばね４１により給紙ローラ４２に圧接してある。
【００３５】
記録媒体収容箱３７に収容された記録媒体２１は、押上板３８を介して押圧手段３９によって給紙ローラ４２に圧接され、図示せぬ給紙用のモータを駆動して給紙ローラ４２を矢印ｈ方向に回転させると、弁別手段４０により１枚ずつ弁別されて給紙され、ガイド４３、４４によって案内されて、レジストローラ４５に送られる。
【００３６】
記録媒体２１は、更に媒体ガイド４６によって案内され、吸着ローラ４７と搬送ベルト２０との間に送られる。なお、吸着ローラ４７は、搬送ベルト２０を介して従動ローラ３２に圧接されていて、給紙機構３６から送られてきた記録媒体２１を帯電させ、静電気力によって搬送ベルト２０に吸着させる。そのために、吸着ローラ４７は高抵抗の半導電性ゴム材によって形成される。そして、媒体ガイド４６には、記録媒体２１の前端を検出する図示せぬホトセンサが、吸着ローラ４７と画像形成部１２Ｙとの間には、記録媒体２１の前端を検出するホトセンサ５２が配設される。
【００３７】
また、搬送ベルト２０を介して図示せぬ除電器が駆動ローラ３１と対向して配設してある。除電器は、搬送ベルト２０に吸着されて送られてきた記録媒体２１を除電し、吸着状態を解除して搬送ベルト２０から分離しやすくする。そして、記録媒体２１の搬送方向における除電器より下流側には、記録媒体２１の後端を検出する図示せぬホトセンサが配設される。
【００３８】
また、記録媒体２１の搬送方向における除電器及びホトセンサより下流側には、第１〜第４の印刷機構Ｐ１〜Ｐ４の各転写部において転写された各色のトナー像を記録媒体２１に定着する定着装置４８が配設してある。定着装置４８は、記録媒体２１上のトナーを加熱して溶融させるヒートローラ４９、及びヒートローラ４９に対して記録媒体２１を押圧する加圧ローラ５０を有する。
【００３９】
さらに、記録媒体２１の搬送方向における定着装置４８より下流側には排出口５１が配設され、排出口５１の外側には図示せぬ排出スタッカが配設される。記録が行われた後の記録媒体２１は、排出口５１を介して排出スタッカに排出される。また、記録媒体２１の搬送方向における定着装置４８より下流側には、記録媒体２１の後端を検出するホトセンサ５３が配設される。
【００４０】
なお、従動ローラ３２側におけるカラー画像記録装置１１の本体の上方には操作部５４が配設してあり、操作部５４を操作することによって、カラー画像記録装置１１に必要な設定を入力することができる。
【００４１】
記録媒体収容箱３７の近傍には、サーミスタによって構成され、カラー画像記録装置１１内の温度を検出する温度検出手段としての温度センサ５７、及びカラー画像記録装置１１内の湿度を検出する湿度検出手段としての湿度センサ５８が配設してある。
【００４２】
図１は図２及び図３に示したカラー画像記録装置の制御ブロック図である。制御回路６１はマイクロプロセッサ等から成る制御回路であり、カラー画像記録装置１１の全体の制御を行う。
【００４３】
制御回路６１には、印刷機構Ｐ１〜Ｐ４の各現像器１８の図示せぬ各スポンジローラにそれぞれトナー供給バイアス電圧を印加するＳＰバイアス電源６２Ｙ、６２Ｍ、６２Ｃ、６２ＢＫ及び各現像ローラ１９にそれぞれ現像バイアス電圧Ｖd を印加するＤＢバイアス電源６３Ｙ、６３Ｍ、６３Ｃ、６３ＢＫがそれぞれ接続されている。
【００４４】
また、制御回路６１には、印刷機構Ｐ１〜Ｐ４の各帯電ローラ１７にそれぞれ帯電電圧を印加する帯電用電源６４Ｙ、６４Ｍ、６４Ｃ、６４ＢＫ、及び各転写ローラ１４Ｙ、１４Ｍ、１４Ｃ、１４ＢＫにそれぞれ転写電圧を印加する転写用電源６５Ｙ、６５Ｍ、６５Ｃ、６５ＢＫがそれぞれ接続されている。
【００４５】
ここで、制御回路６１内には電圧設定手段が備えられており、ＤＢバイアス電源６３Ｙ、６３Ｍ、６３Ｃ、６３ＢＫによる現像バイアス電圧Ｖd を各色の指示値に基づいて変更出来るようになっている。
【００４６】
また、制御回路６１には、吸着ローラ４７に吸着帯電電圧を印加する吸着帯電用電源６６が接続されている。なお、従動ローラ３２は接地され、従動ローラ３２と吸着ローラ４７との電位差によって記録媒体２１を搬送ベルト２０に静電気力により吸着させることができるようになっている。
【００４７】
なお、ＳＰバイアス電源６２Ｙ、６２Ｍ、６２Ｃ、６２ＢＫ、ＤＢバイアス源６３Ｙ、６３Ｍ、６３Ｃ、６３ＢＫ、帯電用電源６４Ｙ、６４Ｍ、６４Ｃ、６４ＢＫ、転写用電源６５Ｙ、６５Ｍ、６５Ｃ、６５ＢＫ、及び吸着帯電用電源６６は、制御回路６１からの指示によってオン・オフ制御される。
【００４８】
さらに、制御回路６１には、印刷機構Ｐ１〜Ｐ４にそれぞれ対応した印刷制御回路６８Ｙ、６８Ｍ、６８Ｃ、６８ＢＫが接続されている。印刷制御回路６８Ｙ、６８Ｍ、６８Ｃ、６８ＢＫには、それぞれメモリ６９Ｙ、６９Ｍ、６９Ｃ、６９ＢＫが接続されており、インタフェース部７０を通じて受信したイエローの画像データ、マゼンタの画像データ、シアンの画像データ、ブラックの画像データを格納する。
【００４９】
印刷制御回路６８Ｙ、６８Ｍ、６８Ｃ、６８ＢＫはメモリ６９Ｙ、６９Ｍ、６９Ｃ、６９ＢＫから各画像データを入力し、制御回路６１の指示により、ＬＥＤヘッド１３Ｙ、１３Ｍ、１３Ｃ、１３ＢＫにそれぞれ出力して、図示せぬＬＥＤアレイの各ＬＥＤ素子の露光時間を制御し、各感光体ドラム１６の表面に静電潜像を形成する。
【００５０】
インタフェース部７０は、図示せぬ上位装置、例えば、ホストコンピュータから送信されてきたカラーの画像データを受信すると、カラーの画像データを図示せぬ画像データ分解手段により色別に分解してイエローの画像データ、マゼンタの画像データ、シアンの画像データ及びブラックの画像データを発生させ、イエローの画像データをメモリ６９Ｙに、マゼンタの画像データをメモリ６９Ｍに、シアンの画像データをメモリ６９Ｃに、ブラックの画像データをメモリ６９ＢＫにそれぞれ格納する。
【００５１】
また、制御回路６１には、定着器ドライバ７１、モータ駆動回路７２、センサレシーバドライバ７６及び操作部５４が接続されている。定着器ドライバ７１は、定着装置４８内のヒートローラ４９が所定の温度、すなわち、定着温度になるように、ヒートローラ４９内の図示せぬヒータをオン・オフさせる。
【００５２】
また、モータ駆動回路７２は、各転写ローラ１４Ｙ、１４Ｍ、１４Ｃ、１４ＢＫ、各感光体ドラム１６、各帯電ローラ１７、各現像ローラ１９、及び各スポンジローラを回転させるモータ２８Ｙ、２８Ｍ、２８Ｃ、２８ＢＫ、給紙ローラ４２及びレジストローラ４５を回転させる給紙用のモータ７３、駆動ローラ３１を回転させるベルト走行用のモータ７４、及びヒートローラ４９を回転させるモータ７５を駆動する。
【００５３】
各モータ２８Ｙ、２８Ｍ、２８Ｃ、２８ＢＫ、７３〜７５によって回転させられる各転写ローラ１４Ｙ、１４Ｍ、１４Ｃ、１４ＢＫ、各感光体ドラム１６、各帯電ローラ１７、各現像ローラ１９、各スポンジローラ、駆動ローラ３１、給紙ローラ４２、レジストローラ４５、及びヒートローラ４９は、図示せぬギヤ又はベルトによって連結されている。そして、センサレシーバドライバ７６は、各ホトセンサ５２、５３を作動させ、各ホトセンサ５２、５３の出力波形を検出信号として制御回路６１に送る。
【００５４】
モータ７３を正方向に駆動すると、給紙ローラ４２だけが矢印ｈ方向に回転させられ、モータ７３を逆方向に駆動すると、給紙ローラ４２は回転することなく、レジストローラ４５だけが回転させられ、記録媒体２１を媒体ガイド４６に送ることができるように、図示せぬワンウェイベアリングが給紙ローラ４２及びレジストローラ４５に配設されている。
【００５５】
また、制御回路６１には操作部５４が接続されていて、操作者は操作部５４を操作することによって、記録媒体収容箱３７に収容された記録媒体２１の種類、例えば、普通紙であるかＯＨＰシートであるかを入力することができるようになっている。なお、記録媒体収容箱３７に収容された記録媒体２１の種類を、光センサ等の検出センサによって検出し、制御回路６１内の図示せぬ記録媒体判別手段によって判別することもできる。
【００５６】
また、制御回路６１にはカラーバランス調整パターンを格納したパターン格納メモリ７６、操作部５４から入力される入力値と濃度を増減させる指示値とを対応させた濃度調整テーブル格納部７７、温度センサ５７、湿度センサ５８が接続してある。
【００５７】
また、制御回路６１には操作部５４から入力された入力値に基づいて濃度調整テーブル格納部７７から選択された調整指示値を格納する指示値格納レジスタ６１ａが設けてある。
【００５８】
図４は現像ローラのバイアス電圧とトナー濃度との関係を示す特性図である。現像ローラ１９は、予め摩擦帯電により帯電させたトナーをその周面に保持して感光体ドラム１６と対峙し、クーロン力により感光体ドラム１６側にトナーを移動させて、静電潜像を現像する。
【００５９】
従って、現像ローラ１９と感光体ドラム１６の静電潜像部分の間の電位差が高いほど、クーロン力が強まるから、移動するトナー量が多くなって、トナー濃度は濃くなる。
【００６０】
例えば、図４に示すように、現像ローラのバイアス電圧が−２５０Ｖのときのトナー濃度をＫ％としてトナー濃度を５％刻みで変化させるには現像ローラのバイアス電圧を１０Ｖずつ変化させる。
【００６１】
図５は濃度調整テーブル格納部に格納される濃度調整テーブルの説明図（１）である。濃度調整テーブルは操作部５４から入力する入力値と、制御回路６１が入力値に基づいて選択する調整指示値とからなる。
【００６２】
図６はカラーバランス調整パターンに基づいて印刷されるカラーサンプルシートの説明図（１）である。Ａ欄には、例えば、ほぼ同一な印刷濃度のシアン、マゼンタ、イエローの画像を重ねて印刷濃度３０％前後のブラックの画像とほぼ一致するコンポジットブラック（以後ハーフトーングレーと記す）の試し刷りが印刷される。
【００６３】
Ｂ欄は６行４列の桝目で構成され、行と列との数字の組み合わせが操作部５４から入力される入力値である。
【００６４】
１行目から６行目にはそれぞれシアン、マゼンタ、イエロー、レッド、グリーン、ブルーの各色が割り当てられ、０列目から３列目にはそれぞれ各色の印刷濃度を所定濃度ずつ（例えば５％）増加させた５％、１０％、１５％、２０％の画像に印刷濃度２５％のブラックの画像を重ね印刷した各色の色見本が印刷される。
【００６５】
レッド、グリーン、ブルーはそれぞれ同一濃度のイエローとマゼンタ、イエローとシアン、シアンとマゼンタからなる。
【００６６】
即ち、列の０，１，２，３は色レベルを表し、Ａ欄の試し刷りの色とＢ欄のレベル０の色見本の色とが同じであればカラーバランスがとれた状態であり、Ａ欄の試し刷りの色とＢ欄のレベル１，２，３のいずれかの色見本の色とが同じであればカラーバランスをとる必要がある。
【００６７】
Ｃ欄には、カラーサンプルシートを参照して濃度調整を行う際の各色の濃度調整方向が記載されてある。
【００６８】
次に動作について図７を参照して説明する。図７は濃度調整モードの動作を示すフローチャートである。オペレータが操作部５４の図示せぬ濃度調整モードキーを押下すると、制御回路６１は装置を印刷モードから濃度調整モードに切り替える。
【００６９】
ステップＳ１で制御回路６１は、パターン格納メモリからカラーバランス調整パターンを読み出し、カラーバランス調整パターンをイエロー、マゼンタ、シアン及びブラックの各画像データに分解し、イエロー、マゼンタ、シアン及びブラックの各画像データをそれぞれメモリ６９Ｙ、６９Ｍ、６９Ｃ、６９ＢＫに格納する。
【００７０】
そして、制御回路６１は、同時に、モータ駆動回路７２によってモータ７４を駆動し、駆動ローラ３１を矢印ｆ方向に回転させ、搬送ベルト２０を走行させる。また、制御回路６１は、モータ駆動回路７２によってモータ７５を駆動し、ヒートローラ４９を回転させ、定着器ドライバ７１を駆動してヒートローラ４９を定着温度になるまでウォーミングアップする。その後、制御回路６１は定着器ドライバ７１を介してヒートローラ４９が定着温度に保たれるように制御する。
【００７１】
メモリ６９Ｙ、６９Ｍ、６９Ｃ、６９ＢＫにカラーバランス調整パターンの各画像データが格納され、かつ、ヒートローラ４９が定着温度になると、制御回路６１は、モータ駆動回路７２によってモータ７３を正方向に駆動し、図２に示すように、給紙ローラ４２を矢印ｈ方向に回転させる。
【００７２】
給紙ローラ４２の回転に伴って、記録媒体収容箱３７に収容された記録媒体２１は、１枚だけ繰り出されてガイド４３、４４に送られ、記録媒体２１の前端がレジストローラ４５に到達すると、その後、わずかな量だけ更に搬送される。
【００７３】
記録媒体２１は、前端がレジストローラ４５のローラ間に当接してわずかに撓（たわ）み、この撓みによって記録媒体２１のスキューが修正される。
【００７４】
次に、制御回路６１は、モータ駆動回路７２によって、モータ２８Ｙ、２８Ｍ、２８Ｃ、２８ＢＫ、７４を同時に駆動し、感光体ドラム１６、帯電ローラ１７及び現像ローラ１９を回転させるとともに、画像形成部１２Ｙ、１２Ｍ、１２Ｃ、１２ＢＫを作動位置に置いて、各感光体ドラム１６を搬送ベルト２０に接触させる。このとき、各感光体ドラム１６の周速度は搬送ベルト２０の走行速度と等しくされる。
【００７５】
その後、モータ７３を逆方向に駆動してレジストローラ４５を回転させると、記録媒体２１は、媒体ガイド４６によって案内され、吸着ローラ４７と搬送ベルト２０との間に送られる。
【００７６】
記録媒体２１の前端が吸着ローラ４７と搬送ベルト２０との間に到達すると、制御回路６１は、吸着帯電用電源６６をオンにして吸着ローラ４７に吸着帯電電圧を印加する。このとき、記録媒体２１は、吸着ローラ４７と従動ローラ３２との間に発生させられる静電気力によって搬送ベルト２０に吸着される。記録媒体２１は、搬送ベルト２０に吸着されながら搬送される。
【００７７】
制御回路６１は、モータ駆動回路７２によって各モータ２８Ｙ、２８Ｍ、２８Ｃ、２８ＢＫの駆動を開始してからわずかな時間が経過すると、各帯電ローラ１７、各現像ローラ１９及び各スポンジローラにそれぞれ帯電電圧、現像バイアス電圧Ｖd 及びトナー供給バイアス電圧を印加するために、各帯電用電源６４Ｙ、６４Ｍ、６４Ｃ、６４ＢＫ、ＤＢバイアス電源６３Ｙ、６３Ｍ、６３Ｃ、６３ＢＫ、及びＳＰバイアス電源６２Ｙ、６２Ｍ、６２Ｃ、６２ＢＫをオンにする。
【００７８】
制御回路６１内の電圧設定手段は、記録媒体２１が普通紙であるか、ＯＨＰシートであるかを判別し、記録媒体２１が普通紙である場合、現像バイアス電圧Ｖd を、例えば、−３００〔Ｖ〕に、記録媒体２１がＯＨＰシートである場合、例えば、−２００〔Ｖ〕に設定する。そして、各スポンジローラに印加されるトナー供給バイアス電圧は−４５０〔Ｖ〕にされる。
【００７９】
また、電圧設定手段は、帯電電圧を−１３５０〔Ｖ〕に設定する。各感光体ドラム１６の表面はそれぞれ帯電ローラ１７によって一様にかつ均一に帯電させられ、表面電位が−８００〔Ｖ〕に帯電される。
【００８０】
次に、制御回路６１は、メモリ６９Ｙに指示を出し、メモリ６９Ｙから１ライン分のイエローの画像データを読み出し、イエローの画像データを印刷制御回路６８Ｙに送る。印刷制御回路６８Ｙは、送られてきたイエローの画像データを、ＬＥＤヘッド１３Ｙに転送することができる形に変え、ＬＥＤヘッド１３Ｙに転送する。
【００８１】
そして、ＬＥＤヘッド１３Ｙは、印刷制御回路６８Ｙから転送されたイエローの画像データに対応する図示せぬＬＥＤアレイのＬＥＤ素子を点灯させて露光を行い、−８００〔Ｖ〕に帯電させられた感光体ドラム１６の表面に、イエローの画像データに対応する１ライン分の静電潜像を形成する。このとき、静電潜像部の電圧は０〔Ｖ〕の近傍になっている。
【００８２】
このようにして、１ラインごとにメモリ６９Ｙから送られてくるイエローの画像データに基づいて順次感光体ドラム１６の表面に静電潜像が形成され、副走査方向の長さ分の静電潜像が形成されると露光が終了する。そして、静電潜像が形成された感光体ドラム１６の表面には、帯電させられた現像ローラ１９の静電気力によってイエローのトナーが付着させられる。したがって、感光体ドラム１６の回転に伴って、静電潜像はイエローのトナーによって順次現像され、イエローのトナー像が形成される。
【００８３】
記録媒体２１の前端が第１の印刷機構Ｐ１の転写部に到達すると、制御回路６１は、転写用電源６５Ｙをオンにし、転写ローラ１４Ｙに転写電圧を印加する。なお、本実施の形態において、転写ローラ１４Ｙには＋１５００〔Ｖ〕の転写電圧が印加される。これにより、感光体ドラム１６上のイエローのトナー像は、転写ローラ１４Ｙによって静電気力により記録媒体２１に１ラインごとに転写され、感光体ドラム１６の回転に伴って、１ページ分のイエローのトナー像が記録媒体２１に転写される。
【００８４】
このようにして、画像形成部１２Ｙによる記録媒体２１へのイエローのトナー像の転写が終了する。
【００８５】
そして、搬送ベルト２０は継続して走行させられ、記録媒体２１は第１の印刷機構Ｐ１から第２の印刷機構Ｐ２に送られ、第２の印刷機構Ｐ２においてマゼンタのトナー像が記録媒体２１に転写され、同様に、シアンのトナー画像、ブラックのトナー画像が順次記録媒体２１に転写される。
【００８６】
このようにして、各色のトナー像が記録媒体２１上に重ねて転写され、カラーのトナー像が形成される。定着装置４８においては、既に定着温度に達しているヒートローラ４９及び加圧ローラ５０によって、カラーのトナー像が記録媒体２１に定着され、カラー画像になる。そして、定着が終了すると、記録媒体２１は排出口５１からカラー画像記録装置１１の外部に排出される。制御回路６１は、ホトセンサ５３が記録媒体２１の後端を検出することによって、記録媒体２１が排出されたことを知る。
【００８７】
各転写用電源６５Ｙ、６５Ｍ、６５Ｃ、６５ＢＫは、記録媒体２１の後端が各感光体ドラム１６を通過した時点でオフにされる。また、モータ７３は、記録媒体２１の後端をホトセンサ５３が検出した時点で停止させられる。さらに、各モータ２８Ｙ、２８Ｍ、２８Ｃ、２８ＢＫ、７４は、記録媒体２１の後端をホトセンサ５３が検出した時点で一旦（いったん）停止させられる。また、記録媒体２１が排出されると、制御回路６１は、モータ駆動回路７２によってモータ７５を停止させ、記録動作を終了する。
【００８８】
この結果、図６に示すようなカラーサンプルシートが印刷される。オペレータはカラーサンプルシートを見てＡ欄に印刷されているハーフトーングレーの試し刷りに最も近いＢ欄の色見本を選び、操作部５４からそのレベルに相当する値を入力する。
【００８９】
入力値は、“１＊”、“２＊”、“３＊”、“４＊”、“５＊”“６＊”（＊は０、１、２、３のいずれかの値を示す）の二桁の数値である。
【００９０】
ステップＳ２で制御回路６１は操作部５４から入力値の有無をチェックし、入力値があればステップＳ３に分岐し、否であればステップＳ６に分岐する。
【００９１】
ステップＳ３で制御回路６１は、入力値“１０”、“２０”、“３０”、“４０”、“５０”“６０”の場合には調整モードを終了して印刷モードに戻り、印刷の待機状態に移行する。
【００９２】
ステップＳ４で制御回路６１は、入力値に基づいて濃度調整テーブル格納部７７から調整指示値を選択し、指示値格納レジスタ６１ａに格納する。例えば入力値が“１３”であった場合には、調整指示値Ｃ３が選択されて指示値格納レジスタ６１ａに格納される。
【００９３】
また、入力値が“４１”であった場合には、調整指示値Ｒ１が選択されて指示値格納レジスタ６１ａに格納される。
【００９４】
ステップＳ５で制御回路６１は、指示値格納レジスタ６１ａに格納された調整指示値Ｃ３に従いシアンの現像ローラのバイアス電圧を変更し、ステップＳ１に戻る。例えば調整指示値がＣ３であった場合には、シアンの濃度を１５％減らすためにシアンの現像ローラバイアス電圧を−２２０Ｖに変更する。
【００９５】
また、調整指示値がＲ１であった場合には、シアンの濃度を５％増やすためにシアンの現像ローラバイアス電圧を−２６０Ｖに変更する。
【００９６】
第１の実施の形態によれば、シアン、マゼンタ、イエローの各画像を重ね印刷し、所定の印刷濃度のブラックの画像とほぼ一致したハーフトーングレーの試し刷りと、シアン、マゼンタ、イエロー、イエローとマゼンタとからなるレッド、イエローとシアンとからなるグリーン、シアンとマゼンタとからなるブルーの各色を所定濃度ずつ増加させたそれぞれの画像に上述した印刷濃度のブラックの画像を重ね印刷した各色の色見本とを印刷したカラーサンプルシートを用い、試し刷りに最も近い色を示す情報が入力されると、その情報に応じて印刷し、ハーフトーングレーが各色の色見本の最少配分濃度に合うまで繰り返し印刷してカラーバランスを調整できるようにしたので、オペレータは、初心者でも容易にカラーバランスの調整を行うことができる。
【００９７】
第２の実施の形態
図８は第２の実施の形態によるカラーバランス調整パターンに基づいて印刷されるカラーサンプルシートの説明図（２）であり、第１の実施の形態のカラーサンプルシートと異なるところは、測色系ＣＩＥ  Ｌａｂ色空間に合わせ、各色見本を彩度方向にほぼ等間隔色差になるようにした点である。
【００９８】
即ち、中心には、ほぼ同一な印刷濃度のシアン、マゼンタ、イエローの画像を重ねて印刷濃度３０％前後のブラックの画像とほぼ一致するハーフトーングレーの試し刷りが印刷され、 ＣＩＥ  Ｌａｂ色空間のイエロー軸から右回りにレッド（Ｒ）、マゼンタ（Ｍ）、ブルー（Ｂ）、シアン（Ｂ）、グリーン（Ｇ）の順で各色の色見本が印刷してある。
【００９９】
Ｙ００，Ｒ００，Ｍ００，Ｂ００，Ｃ００，Ｇ００にはハーフトーングレーの試し刷りに対して色差ΔＥがほぼ２異なるように、印刷濃度２５％ブラックにそれぞれイエロー、レッド、マゼンタ、ブルー、シアン、グリーン色を混合した色見本が印刷される。
【０１００】
１１，１２，１３，１４，１５，１６にはハーフトーングレーの試し刷りに対して色差ΔＥがほぼ４異なるように、印刷濃度２５％ブラックにそれぞれイエロー、レッド、マゼンタ、ブルー、シアン、グリーン色を混合した色見本が印刷される。
【０１０１】
２１，２２，２３，２４，２５，２６にはハーフトーングレーの試し刷りに対して色差ΔＥがほぼ６異なるように、印刷濃度２５％ブラックにそれぞれイエロー、レッド、マゼンタ、ブルー、シアン、グリーン色を混合した色見本が印刷される。
【０１０２】
３１，３２，３３，３４，３５，３６にはハーフトーングレーの試し刷りに対して色差ΔＥがほぼ８異なるように、印刷濃度２５％ブラックにそれぞれイエロー、レッド、マゼンタ、ブルー、シアン、グリーン色を混合した色見本が印刷される。
【０１０３】
図９は濃度調整テーブル格納部に格納される濃度調整テーブルの説明図（２）である。濃度調整テーブルは操作部５４から入力する入力値と、制御回路６１が入力値に基づいて選択する調整指示値とからなる。
【０１０４】
次に動作について図１０を参照して説明する。図１０は濃度調整モード時の動作を示すフローチャート（２）である。オペレータはカラーサンプルシートを見て中央に印刷されているハーフトーングレーの試し刷りに最も近い色見本を選び、操作部５４からそのレベルに相当する値を入力する。
【０１０５】
入力値は、“１＊”、“２＊”、“３＊”、“４＊”、“５＊”“６＊”（＊は０、１、２、３のいずれかの値を示す）の二桁の数値である。
【０１０６】
ステップＳ２で制御回路６１は操作部５４から入力値の有無をチェックし、入力値があればステップＳ３に分岐し、否であればステップＳ６に分岐する。
【０１０７】
ステップＳ３で制御回路６１は、入力値“１０”、“２０”、“３０”、“４０”、“５０”“６０”の場合には調整モードを終了して印刷モードに戻り、印刷の待機状態に移行する。
【０１０８】
ステップＳ４で制御回路６１は、入力値に基づいて濃度調整テーブル格納部７７から調整指示値を選択し、指示値格納レジスタ６１ａに格納する。例えば入力値が“１３”であった場合には、調整指示値Ｃ３が選択されて指示値格納レジスタ６１ａに格納される。
【０１０９】
ステップＳ５で制御回路６１は、指示値格納レジスタ６１ａに格納された調整指示値Ｃ３に従いシアンの現像ローラのバイアス電圧を変更し、ステップＳ１に戻る。例えば調整指示値がＣ３であった場合には、シアンの濃度を色差８減らすためにシアンの現像ローラバイアス電圧を変更する。
【０１１０】
第２の実施の形態によれば、カラーバランス調整パターンに基づいて印刷されるカラーサンプルシートが測色系ＣＩＥ  Ｌａｂ色空間に合わせ、各色見本を彩度方向にほぼ等間隔色差になるようにしたので、オペレータは色空間との対応ができ、カラーバランスがどの色測にずれているか一目で分かり、カラーバランスの調整を間違いなく行うことができる。
【０１１１】
第３の実施の形態
第１及び第２の実施の形態では濃度調整指示値に従ってシアン、マゼンタ、イエローの各現像ローラに印加する現像バイアス電圧を変えるようにしたが、第３の実施の形態では感光体ドラムを露光する露光時間を変えるようにしたものである。
【０１１２】
印刷機構及び制御部は第１の実施の形態と同じなので説明を省略するが、感光体ドラムを露光する露光時間は、印刷制御回路６８Ｙ、６８Ｍ、６８Ｃ、６８ＢＫが制御回路６１の指示により制御している。
【０１１３】
図１１は第３の実施の形態による印刷制御回路とＬＥＤヘッドとを示す構成図であり、印刷機構Ｐ１〜Ｐ４に搭載される印刷制御回路とＬＥＤヘッドは同じ構成であるから、代表して印刷制御回路６８ＹとＬＥＤヘッド１３Ｙとを示している。
【０１１４】
ＬＥＤヘッド１３Ｙはシフトレジスタ８０、ラッチ回路８１、駆動回路８２、ＬＥＤ素子８３、保護抵抗８４等から構成されている。 ＬＥＤ素子８３、保護抵抗８４は印刷データ１ライン分の素子数から構成されている。
【０１１５】
シフトレジスタ８０は印刷制御回路６８Ｙのデータ信号端子ＤＡＴＡとクロック信号端子ＣＬＫに接続されており、制御回路６１によりメモリ６９Ｙから読み出された１ライン分のイエローの印刷データをクロック信号のタイミングに合わせて図示せぬフリップフロップ回路にシフトさせて行く。
【０１１６】
ラッチ回路８１は印刷制御回路６８Ｙのロード信号端子ＬＯＡＤに接続されており、印刷制御回路６８Ｙのロード信号のタイミングに合わせてシフトレジスタ８０から１ライン分のイエローの印刷データを図示せぬフリップフロップ回路に保持する。
【０１１７】
駆動回路８２はＬＥＤ素子８３と同数の論理積回路８５（以後ＡＮＤ回路８５と記する）とトランジスタ素子８６とから構成されている。ＡＮＤ回路８５とトランジスタ素子８６とは３グループＡ，Ｂ，Ｃに分けられており、ＡＮＤ回路８５の一方の入力端子にはラッチ回路８１の出力端子に接続されている。各グループのＡＮＤ回路８５の他方の入力端子には印刷制御回路６８Ｙのストローブ信号端子ＳＴＢ１、ＳＴＢ２、ＳＴＢ３の各出力端子に接続されている。
【０１１８】
トランジスタ素子８６のベース端子はＡＮＤ回路８５の出力端子に接続され、エミッタ端子は接地され、コレクタ端子はＬＥＤ素子の出力端子に接続されている。ＬＥＤ素子８３の出力端子には保護抵抗８４を介して電源端子ＶＤが接続されている。
【０１１９】
印刷データがレベル「Ｈ」の場合にはストローブ信号によりＡＮＤ回路８５の出力がレベル「Ｈ」となり、ＬＥＤ素子８３を発光させる。
【０１２０】
図１２は第３の実施の形態によるカラーバランス調整パターンに基づいて印刷されるカラーサンプルシートの説明図（３）、図１３は露光時間の説明図である。露光時間Ｔは制御回路６１の図示せぬメモリに露光時間テーブルとして格納してあり、印刷時、印刷制御回路６８Ｙ、６８Ｍ、６８Ｃ、６８ＢＫに出力される。
【０１２１】
カラーバランス調整パターンはイエロー、マゼンタ、シアンの各色データが同一濃度データにより重ね印刷されるようにパターン格納メモリ７６に格納されてある。カラーサンプルシートは列方向が第１ドット列〜第３ｎドット列で構成され、行方向が第１ドットライン〜第９ｍドットラインで構成され、３列、９行からなる２７個の試し刷りＡ１〜Ｃ９を有する。
【０１２２】
列Ａ、Ｂ、Ｃはそれぞれ第１ドット列〜第ｎドット列、第（ｎ＋１）ドット列〜第２ｎドット列、第（２ｎ＋１）ドット列〜第３ｎドット列で区切られており、ＬＥＤ素子８３の３グループＡ，Ｂ，Ｃに対応している。
【０１２３】
また、第１〜９行目は、それぞれ、第１ドットライン〜第ｍドットライン、第（ｍ＋１）ドットライン〜第２ｍドットライン、第（２ｍ＋１）ドットライン〜第３ｍドットライン、第（３ｍ＋１）ドットライン〜第４ｍドットライン、第（４ｍ＋１）ドットライン〜第５ｍドットライン、第（５ｍ＋１）ドットライン〜第６ｍドットライン、第（６ｍ＋１）ドットライン〜第７ｍドットライン、第（７ｍ＋１）ドットライン〜第８ｍドットライン、第（８ｍ＋１）ドットライン〜第９ｍドットラインで区切られている。
【０１２４】
Ａ，Ｂ，Ｃの各列にはイエローが印刷されるが、濃度データが同じであっても感光体ドラムを露光する露光時間Ｔを、図１３に示すように、Ｔ１、Ｔ２、Ｔ３（Ｔ１＜Ｔ２＜Ｔ３）の順に変えることにより、ドット径が大きくなり、イエロー濃度はＡ，Ｂ，Ｃの順に濃くなっている。
【０１２５】
１，４，７の各行、２，５，８の各行、３，６，９の各行には第１濃度のマゼンタ、第２濃度のマゼンタ、第３濃度のマゼンタが印刷されるが、感光体ドラムを露光する露光時間ＴをＴ１、Ｔ２、Ｔ３（Ｔ１＜Ｔ２＜Ｔ３）の順に変えることにより、濃度は第１濃度のマゼンタ、第２濃度のマゼンタ、第３濃度のマゼンタの順に濃くなっている。
【０１２６】
１，２，３の各行、４，５，６の各行、７，８，９の各行には第１濃度のシアン、第２濃度のシアン、第３濃度のシアンが印刷されるが、感光体ドラムを露光する露光時間ＴをＴ１、Ｔ２、Ｔ３（Ｔ１＜Ｔ２＜Ｔ３）の順に変えることにより、濃度は第１濃度のシアン、第２濃度のシアン、第３濃度のシアンの順に濃くなっている。
【０１２７】
従って、２７個の各色見本には濃度の異なるイエロー、マゼンタ、シアンによるグレー色ハーフトーンが印刷される。
【０１２８】
次に動作について図１４、１５を参照して説明する。図１４は第３の実施の形態による露光タイミングチャート（１）、図１５は第３の実施の形態による露光タイミングチャート（２）である。
【０１２９】
オペレータが操作部５４の図示せぬ濃度調整モードキーを押下すると、制御回路６１は装置を印刷モードから濃度調整モードに切り替える。
【０１３０】
制御回路６１は、パターン格納メモリからカラーバランス調整パターンを読み出し、カラーバランス調整パターンをイエロー、マゼンタ、シアン及びブラックの各画像データに分解し、イエロー、マゼンタ、シアン及びブラックの各画像データをそれぞれメモリ６９Ｙ、６９Ｍ、６９Ｃ、６９ＢＫに格納する。
【０１３１】
そして、制御回路６１は、同時に、モータ駆動回路７２によってモータ７４を駆動し、駆動ローラ３１を矢印ｆ方向に回転させ、搬送ベルト２０を走行させる。また、制御回路６１は、モータ駆動回路７２によってモータ７５を駆動し、ヒートローラ４９を回転させ、定着器ドライバ７１を駆動してヒートローラ４９を定着温度になるまでウォーミングアップする。その後、制御回路６１は定着器ドライバ７１を介してヒートローラ４９が定着温度に保たれるように制御する。
【０１３２】
メモリ６９Ｙ、６９Ｍ、６９Ｃ、６９ＢＫにカラーバランス調整パターンの各画像データが格納され、かつ、ヒートローラ４９が定着温度になると、制御回路６１は、モータ駆動回路７２によってモータ７３を正方向に駆動し、図２に示すように、給紙ローラ４２を矢印ｈ方向に回転させる。
【０１３３】
給紙ローラ４２の回転に伴って、記録媒体収容箱３７に収容された記録媒体２１は、１枚だけ繰り出されてガイド４３、４４に送られ、記録媒体２１の前端がレジストローラ４５に到達すると、その後、わずかな量だけ更に搬送される。
【０１３４】
記録媒体２１は、前端がレジストローラ４５のローラ間に当接してわずかに撓（たわ）み、この撓みによって記録媒体２１のスキューが修正される。
【０１３５】
次に、制御回路６１は、モータ駆動回路７２によって、モータ２８Ｙ、２８Ｍ、２８Ｃ、２８ＢＫ、７４を同時に駆動し、感光体ドラム１６、帯電ローラ１７及び現像ローラ１９を回転させるとともに、画像形成部１２Ｙ、１２Ｍ、１２Ｃ、１２ＢＫを作動位置に置いて、各感光体ドラム１６を搬送ベルト２０に接触させる。このとき、各感光体ドラム１６の周速度は搬送ベルト２０の走行速度と等しくされる。
【０１３６】
その後、モータ７３を逆方向に駆動してレジストローラ４５を回転させると、記録媒体２１は、媒体ガイド４６によって案内され、吸着ローラ４７と搬送ベルト２０との間に送られる。
【０１３７】
記録媒体２１の前端が吸着ローラ４７と搬送ベルト２０との間に到達すると、制御回路６１は、吸着帯電用電源６６をオンにして吸着ローラ４７に吸着帯電電圧を印加する。このとき、記録媒体２１は、吸着ローラ４７と従動ローラ３２との間に発生させられる静電気力によって搬送ベルト２０に吸着される。記録媒体２１は、搬送ベルト２０に吸着されながら搬送される。
【０１３８】
制御回路６１は、モータ駆動回路７２によって各モータ２８Ｙ、２８Ｍ、２８Ｃ、２８ＢＫの駆動を開始してからわずかな時間が経過すると、各帯電ローラ１７、各現像ローラ１９及び各スポンジローラにそれぞれ帯電電圧、現像バイアス電圧Ｖd 及びトナー供給バイアス電圧を印加するために、各帯電用電源６４Ｙ、６４Ｍ、６４Ｃ、６４ＢＫ、ＤＢバイアス電源６３Ｙ、６３Ｍ、６３Ｃ、６３ＢＫ、及びＳＰバイアス電源６２Ｙ、６２Ｍ、６２Ｃ、６２ＢＫをオンにする。
【０１３９】
制御回路６１内の電圧設定手段は、記録媒体２１が普通紙であるか、ＯＨＰシートであるかを判別し、記録媒体２１が普通紙である場合、現像バイアス電圧Ｖd を、例えば、−３００〔Ｖ〕に、記録媒体２１がＯＨＰシートである場合、例えば、−２００〔Ｖ〕に設定する。そして、各スポンジローラに印加されるトナー供給バイアス電圧は−４５０〔Ｖ〕にされる。
【０１４０】
また、電圧設定手段は、帯電電圧を−１３５０〔Ｖ〕に設定する。各感光体ドラム１６の表面はそれぞれ帯電ローラ１７によって一様にかつ均一に帯電させられ、表面電位が−８００〔Ｖ〕に帯電される。
【０１４１】
次に、制御回路６１は、メモリ６９Ｙに指示を出し、メモリ６９Ｙから１ライン分のイエローの画像データを読み出し、イエローの画像データを印刷制御回路６８Ｙに送る。印刷制御回路６８Ｙは、送られてきたイエローの画像データを、ＬＥＤヘッド１３Ｙに転送することができる形に変え、図１１に示したシフトレジスタ８０にクロック信号によりシフトさせて行く。
【０１４２】
１ライン分のイエローの画像データがシフトレジスタ８０に転送されると、印刷制御回路６８Ｙは、時刻ｔ１でロード信号をラッチ回路８１に出力し、１ライン分のイエローの印刷データをラッチ回路８１に保持する。
【０１４３】
次に、制御回路６１はストローブ信号ＳＴＢ１、ＳＴＢ２、ＳＴＢ３を出力する指令を印刷制御回路６８Ｙに送る。印刷制御回路６８Ｙは、時刻ｔ２で図１３に示した露光時間Ｔ１、Ｔ２、Ｔ３に基づいてストローブ信号ＳＴＢ１、ＳＴＢ２、ＳＴＢ３を出力する。
【０１４４】
即ち、ストローブ信号ＳＴＢ１、ＳＴＢ２、ＳＴＢ３はそれぞれ、露光時間Ｔ１、Ｔ２、Ｔ３オン駆動され、図１１に示したグループＡ（第１ドット列〜第ｎドット列），Ｂ（第（ｎ＋１）ドット列〜第２ｎドット列），Ｃ（第（２ｎ＋１）ドット列〜第３ｎドット列）のＡＮＤ回路８５が印刷データ「Ｈ」と論理積をとってＬＥＤ素子８３を発光させ、それぞれ感光体ドラム１６の表面を露光する。
【０１４５】
露光された感光ドラムの表面には、イエローの画像データに対応する１ライン分の静電潜像が形成される。このとき、静電潜像部の電圧は０〔Ｖ〕の近傍になっている。
【０１４６】
このようにして、１ラインごとにメモリ６９Ｙから送られてくるイエローの画像データに基づいて順次感光体ドラム１６の表面には、図１２に示したように、濃度の異なる列Ａ，Ｂ，Ｃのイエローの静電潜像が形成される。
【０１４７】
そして、静電潜像が形成された感光体ドラム１６の表面には、帯電させられた現像ローラ１９の静電気力によってイエローのトナーが付着させられる。したがって、感光体ドラム１６の回転に伴って、静電潜像はイエローのトナーによって順次現像され、イエローのトナー像が形成される。
【０１４８】
記録媒体２１の前端が第１の印刷機構Ｐ１の転写部に到達すると、制御回路６１は、転写用電源６５Ｙをオンにし、転写ローラ１４Ｙに転写電圧を印加する。なお、本実施の形態において、転写ローラ１４Ｙには＋１５００〔Ｖ〕の転写電圧が印加される。
【０１４９】
これにより、感光体ドラム１６上のイエローのトナー像は、転写ローラ１４Ｙによる静電気力によって記録媒体２１に１ラインごとに転写され、感光体ドラム１６の回転に伴って、イエローのトナー像が記録媒体２１に転写される。
【０１５０】
イエローのトナー像が転写された記録媒体２１は第１の印刷機構Ｐ１から第２の印刷機構Ｐ２に送られる。
【０１５１】
この間に、第２の印刷機構Ｐ２においては、第１行目の最初のドットラインを構成する１ライン分のマゼンタの画像データがシフトレジスタ８０に転送されると、時刻ｔｍでロード信号をラッチ回路８１に出力し、第１ドットラインのマゼンタの印刷データをラッチ回路８１に保持する。
【０１５２】
次に印刷制御回路６８Ｍは、時刻ｔｍ＋１で、図１３に示した露光時間Ｔ１に基づいてストローブ信号ＳＴＢ１、ＳＴＢ２、ＳＴＢ３をオン駆動する。以下同様にして第１行目の最後のドットラインである第ｍドットラインまでを露光時間Ｔ１としてＬＥＤ素子８３を発光させる。
【０１５３】
次に印刷制御回路６８Ｍは、第２行目の最初のドットラインを構成する１ライン分のマゼンタの画像データがシフトレジスタ８０に転送されると、時刻ｔｍ＋ｎでロード信号をラッチ回路８１に出力し、第（ｍ＋１）ドットラインのマゼンタの印刷データをラッチ回路８１に保持する。
【０１５４】
次に印刷制御回路６８Ｍは、時刻ｔｍ＋（ｎ＋１）で、図１３に示した露光時間Ｔ２に基づいてストローブ信号ＳＴＢ１、ＳＴＢ２、ＳＴＢ３をオン駆動する。以下同様にして第２行目の最後のドットラインである第２ｍドットラインまでを露光時間Ｔ２としてＬＥＤ素子８３を発光させる。
【０１５５】
次に印刷制御回路６８Ｍは、第３行目の最初のドットラインを構成する１ライン分のマゼンタの画像データがシフトレジスタ８０に転送されると、時刻ｔｍ＋ｐでロード信号をラッチ回路８１に出力し、第（２ｍ＋１）ドットラインのマゼンタの印刷データをラッチ回路８１に保持する。
【０１５６】
次に印刷制御回路６８Ｍは、時刻ｔｍ＋（ｐ＋１）で、図１３に示した露光時間Ｔ３に基づいてストローブ信号ＳＴＢ１、ＳＴＢ２、ＳＴＢ３をオン駆動する。以下同様にして第３行目の最後のドットラインである第３ｍドットラインまでを露光時間Ｔ２としてＬＥＤ素子８３を発光させる。
【０１５７】
第４行目、第７行目については第１行目と同様に露光時間Ｔ１に基づいてストローブ信号ＳＴＢ１、ＳＴＢ２、ＳＴＢ３をオン駆動し、第５行目、第８行目については第２行目と同様に露光時間Ｔ２に基づいてストローブ信号ＳＴＢ１、ＳＴＢ２、ＳＴＢ３をオン駆動し、第６行目、第９行目については第３行目と同様に露光時間Ｔ３に基づいてストローブ信号ＳＴＢ１、ＳＴＢ２、ＳＴＢ３をオン駆動する。
【０１５８】
イエローのトナー像が転写された記録媒体２１は第１の印刷機構Ｐ１から第２の印刷機構Ｐ２に送られる。
【０１５９】
この間に、第２の印刷機構Ｐ２においては、第１行目の最初のドットラインを構成する１ライン分のマゼンタの画像データがシフトレジスタ８０に転送されると、時刻ｔｍでロード信号をラッチ回路８１に出力し、第１ドットラインのマゼンタの印刷データをラッチ回路８１に保持する。
【０１６０】
次に印刷制御回路６８Ｍは、時刻ｔｍ＋１で、図１３に示した露光時間Ｔ１に基づいてストローブ信号ＳＴＢ１、ＳＴＢ２、ＳＴＢ３をオン駆動する。以下同様にして第１行目の最後のドットラインである第ｍドットラインまでを露光時間Ｔ１としてＬＥＤ素子８３を発光させる。
【０１６１】
次に印刷制御回路６８Ｍは、第２行目の最初のドットラインを構成する１ライン分のマゼンタの画像データがシフトレジスタ８０に転送されると、時刻ｔｍ＋ｎでロード信号をラッチ回路８１に出力し、第（ｍ＋１）ドットラインのマゼンタの印刷データをラッチ回路８１に保持する。
【０１６２】
次に印刷制御回路６８Ｍは、時刻ｔｍ＋（ｎ＋１）で、図１３に示した露光時間Ｔ２に基づいてストローブ信号ＳＴＢ１、ＳＴＢ２、ＳＴＢ３をオン駆動する。以下同様にして第２行目の最後のドットラインである第２ｍドットラインまでを露光時間Ｔ２としてＬＥＤ素子８３を発光させる。
【０１６３】
次に印刷制御回路６８Ｍは、第３行目の最初のドットラインを構成する１ライン分のマゼンタの画像データがシフトレジスタ８０に転送されると、時刻ｔｍ＋ｐでロード信号をラッチ回路８１に出力し、第（２ｍ＋１）ドットラインのマゼンタの印刷データをラッチ回路８１に保持する。
【０１６４】
次に印刷制御回路６８Ｍは、時刻ｔｍ＋（ｐ＋１）で、図１３に示した露光時間Ｔ３に基づいてストローブ信号ＳＴＢ１、ＳＴＢ２、ＳＴＢ３をオン駆動する。以下同様にして第３行目の最後のドットラインである第３ｍドットラインまでを露光時間Ｔ２としてＬＥＤ素子８３を発光させる。
【０１６５】
第４行目、第７行目については第１行目と同様に露光時間Ｔ１に基づいてストローブ信号ＳＴＢ１、ＳＴＢ２、ＳＴＢ３をオン駆動し、第５行目、第８行目については第２行目と同様に露光時間Ｔ２に基づいてストローブ信号ＳＴＢ１、ＳＴＢ２、ＳＴＢ３をオン駆動し、第６行目、第９行目については第３行目と同様に露光時間Ｔ３に基づいてストローブ信号ＳＴＢ１、ＳＴＢ２、ＳＴＢ３をオン駆動する。
【０１６６】
この結果、第１行目、第４行目、第７行目には第１濃度のマゼンタの静電潜像が形成され、第２行目、第５行目、第８行目には第２濃度のマゼンタの静電潜像が形成され、第３行目、第６行目、第９行目には第３濃度のマゼンタの静電潜像が形成される。
【０１６７】
マゼンタのトナー像が転写された記録媒体２１は第２の印刷機構Ｐ２から第３の印刷機構Ｐ３に送られる。
【０１６８】
この間に、第３の印刷機構Ｐ３においては、第１行目の最初のドットラインを構成する１ライン分のシアンの画像データがシフトレジスタ８０に転送されると、時刻ｔｃでロード信号をラッチ回路８１に出力し、第１ドットラインのシアンの印刷データをラッチ回路８１に保持する。
【０１６９】
次に印刷制御回路６８Ｍは、時刻ｔｃ＋１で、図１３に示した露光時間Ｔ１に基づいてストローブ信号ＳＴＢ１、ＳＴＢ２、ＳＴＢ３をオン駆動する。以下同様にして第３行目の最後のドットラインである第３ｍドットラインまでを露光時間Ｔ１としてＬＥＤ素子８３を発光させる。
【０１７０】
次に印刷制御回路６８Ｍは、第４行目の最初のドットラインを構成する１ライン分のシアンの画像データがシフトレジスタ８０に転送されると、時刻ｔｃ＋ｎでロード信号をラッチ回路８１に出力し、第（３ｍ＋１）ドットラインのシアンの印刷データをラッチ回路８１に保持する。
【０１７１】
次に印刷制御回路６８Ｍは、時刻ｔｃ＋（ｎ＋１）で、図１３に示した露光時間Ｔ２に基づいてストローブ信号ＳＴＢ１、ＳＴＢ２、ＳＴＢ３をオン駆動する。以下同様にして第６行目の最後のドットラインである第６ｍドットラインまでを露光時間Ｔ２としてＬＥＤ素子８３を発光させる。
【０１７２】
次に印刷制御回路６８Ｍは、第７行目の最初のドットラインを構成する１ライン分のシアンの画像データがシフトレジスタ８０に転送されると、時刻ｔｃ＋ｐでロード信号をラッチ回路８１に出力し、第（６ｍ＋１）ドットラインのシアンの印刷データをラッチ回路８１に保持する。
【０１７３】
次に印刷制御回路６８Ｍは、時刻ｔｃ＋（ｐ＋１）で、図１３に示した露光時間Ｔ３に基づいてストローブ信号ＳＴＢ１、ＳＴＢ２、ＳＴＢ３をオン駆動する。以下同様にして第９行目の最後のドットラインである第９ｍドットラインまでを露光時間Ｔ３としてＬＥＤ素子８３を発光させる。
【０１７４】
この結果、第１行目〜第３行目には第１濃度のシアンの静電潜像が形成され、第４行目〜第６行目には第２濃度のシアンの静電潜像が形成され、第７行目〜第９行目には第３濃度のシアンの静電潜像が形成される。
【０１７５】
このようにして、各色のトナー像が記録媒体２１上に重ねて転写され、２７個の各色見本には濃度の異なるイエロー、マゼンタ、シアンによるグレー色ハーフトーンのトナー像が形成される。定着装置４８においては、既に定着温度に達しているヒートローラ４９及び加圧ローラ５０によって、カラーのトナー像が記録媒体２１に定着され、カラー画像になる。そして、定着が終了すると、記録媒体２１は排出口５１からカラー画像記録装置１１の外部に排出される。制御回路６１は、ホトセンサ５３が記録媒体２１の後端を検出することによって、記録媒体２１が排出されたことを知る。
【０１７６】
この結果、図１２に示すようなカラーサンプルシートが印刷される。オペレータはカラーサンプルシートを見てもっともグレーに近いハーフトーングレーが印刷されている色見本の色見本を選び、操作部５４からそのレベルに相当する値を入力する。
【０１７７】
例えば、もっともグレーに近いハーフトーングレーがＢ５であったとすると、オペレータは操作部５４からＢ５を入力する。制御回路６１は操作部５４から入力されたＢ５をもとにイエロー、マゼンタ、シアンの各露光時間をそれぞれＴ２，Ｔ２，Ｔ２と図示せぬメモリに記憶し、印刷時には指示値格納レジスタ６１ａにセットして印刷制御回路６８Ｙ，６８Ｍ，６８Ｃに指示する。
【０１７８】
これにより、ドット径を変化させてトナーの付着量を調整することによりトナー濃度を変化させることができる。
【０１７９】
第４の実施の形態
第３の実施の形態ではシアン、マゼンタ、イエローのＬＥＤヘッド１３Ｙ、１３Ｍ、１３Ｃの露光時間を変えて濃度調整を行うようにしたが、第４の実施の形態ではさらにブラックのＬＥＤヘッド１３Ｂの露光時間をも変えて濃度調整を行うようにしたものである。
【０１８０】
図１６は第４の実施の形態によるカラーバランス調整パターンに基づいて印刷されるカラーサンプルシートの説明図（４）であり、カラーサンプルシートＺ１、Ｚ２、Ｚ３は第３の実施の形態で説明したシアン、マゼンタ、イエローの色見本Ａ１〜Ｃ９の周囲１０１，１０２，１０３をブラックのＬＥＤヘッド１３Ｂの露光時間Ｔ１、Ｔ２，Ｔ３としてそれぞれ印刷したものである。
【０１８１】
装置は最初、カラーサンプルシートＺ２の色見本Ｂ５のグレー濃度と同じ濃度のブラックが印刷されるように調整され、カラーバランス調整パターンはパターン格納メモリ７６に格納されてある。
【０１８２】
しかしながら、部品のバラツキ、経時変化、環境変化等によって各色の画像形成装置の濃度が合わなくなってくる。
【０１８３】
そこでオペレータが操作部５４の所定のキーを押下し、カラーサンプルシートＺ１、Ｚ２、Ｚ３を印刷し、色見本Ａ１〜Ｃ９とカラーサンプルシートの周囲１０１，１０２，１０３に印刷されたブラックの色と見比べて、カラーサンプルシートＺ１、Ｚ２、Ｚ３に印刷されたブラックに最も近い色見本Ａ１〜Ｃ９をカラーサンプルシートＺ１、Ｚ２、Ｚ３から選択して操作部５４から入力する。
【０１８４】
例えば、色見本Ａ６がカラーサンプルシートＺ２の周囲１０２に印刷されたブラックに最も近いとしたならば、オペレータは操作部５４からＺ２Ａ６を入力する。制御回路６１は操作部５４から入力されたＺ２Ａ６をもとにイエロー、マゼンタ、シアン、ブラックの各露光時間をそれぞれＴ１，Ｔ３，Ｔ２、Ｔ２と図示せぬメモリに記憶し、印刷時には指示値格納レジスタ６１ａにセットして印刷制御回路６８Ｙ，６８Ｍ，６８Ｃ，６８Ｋに指示する。
【０１８５】
これにより、ドット径を変化させてトナーの付着量を調整することによりトナー濃度を変化させることができる。
【０１８６】
【発明の効果】
本発明は、以上説明したように構成されているので以下に記載される効果を奏する。
【０１８７】
カラー画像調整方法は、所定の印刷濃度を有する単色の画像とほぼ一致するように該単色とは異なる複数色の画像を重ね印刷した試し刷りと、単色の画像に印刷濃度を所定濃度ずつ増加させた複数色の各色の各画像を重ね印刷した色見本とを印刷したカラーサンプルシートを用いて、試し刷りに最も近い色見本が選択され、選択された色見本の濃度配分に応じて印刷濃度を増減させた試し刷りが印刷され、試し刷りが色見本の最小配分濃度に合うまで繰り返すようにしたことにより、濃度調整を短時間で行える。また、行列の桝目で構成され、第１の色で印刷濃度を所定濃度ずつ増加させたｎ種類の画像を順に列方向に印刷し、該列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、該ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、該ｎ行ずつ印刷されたｎ種類で各ｎ個の画像をそれぞれ各列に印刷することで、前記桝目には濃度の異なる、第１の色、第２の色、第３の色を重ねたハーフトーンの色見本が印刷されたカラーサンプルシートを用いて、色見本が選択され、選択された色見本の濃度配分に応じて印刷濃度を調整することで、濃度調整を短時間で行える。
【０１８８】
カラー画像調整装置は、所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、所定の印刷濃度を有する単色の画像とほぼ一致するように単色とは異なる複数色の各画像を重ねた試し刷りの画像と、単色の画像に印刷濃度を所定濃度ずつ増加させた複数色の各色の各画像を重ねた色見本とを印刷するカラーバランス調整パターンを格納したカラーバランス調整パターン格納手段と、カラーバランス調整パターンを読み出し、印刷手段によりカラーサンプルシートを印刷するカラーサンプルシート出力手段と、色見本と対応させた入力値を入力する操作部と、入力値と複数色の各濃度を調整する濃度調整指示値とを対応させたテーブルを格納した濃度調整テーブル格納手段と、操作部から入力された入力値に基づいてテーブルから濃度調整指示値を選択し、濃度調整指示値により複数色の各画像の各濃度を調整する濃度調整手段とを備えたことにより、濃度調整を短時間で行える。また、カラー画像濃度調整装置は、所定方向に回転する感光体表面を一様に帯電させ、感光体表面を露光して静電潜像を形成し、その静電潜像にトナーを付着させ、印刷シートに転写してトナーを印刷シートに熱融着させる印刷手段と、行列の桝目で構成され、第１の色で印刷濃度を所定濃度ずつ増加させたｎ種類の画像を順に列方向に印刷し、列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、ｎ行ずつ印刷されたｎ種類で各ｎ個の画像をそれぞれ各列に印刷することで、桝目には濃度の異なる、第１の色、第２の色、第３の色を重ねたハーフトーンの色見本が構成されるカラーバランス調整パターンを格納したカラーバランス調整パターン格納手段と、カラーバランス調整パターンを読み出し、印刷手段によりカラーサンプルシートを印刷するカラーサンプルシート出力手段と、色見本と対応させた入力値を入力する操作部と、入力値と複数色の各濃度を調整する濃度調整指示値とを対応させたテーブルを格納した濃度調整テーブル格納手段と、操作部から入力された入力値に基づいてテーブルから濃度調整指示値を選択し、濃度調整指示値により複数色の各画像の各濃度を調整する濃度調整手段とを備えたことにより、濃度調整を短時間で行える。カラーサンプルシートは、所定の印刷濃度を有する単色の画像とほぼ一致するように単色とは異なる複数色の画像を重ね印刷した試し刷りと、ｍ行ｎ列の桝目で構成され、１行目からｍ行目にはそれぞれ複数色の各色あるいは各色を組合せた色が割り当てられ、１列目からｎ列目にはそれぞれ各色の印刷濃度を所定濃度ずつ増加させ、単色の画像と重ね印刷した各色の色見本とから構成されることで、容易にカラーバランスの調整を行うことができ、濃度調整を短時間で行える。また、カラーサンプルシートは、測色系ＣＩＥ  Ｌａｂ色���間に合わせ、所定の印刷濃度を有する単色の画像とほぼ一致するように単色とは異なる複数色の画像を重ね印刷した試し刷りが中央部に印刷され、単色の画像に、複数色の各色あるいは各色を組合せた色の画像をそれぞれ重ね印刷した各色の色見本が試し刷りから彩度方向にほぼ等間隔色差になるように印刷されることで、色空間との対応ができ、カラーバランスがどの色測にずれているか一目で分かり、カラーバランスの調整を間違いなく行うことができ、濃度調整を短時間で行える。また、カラーサンプルシートは、行列の桝目で構成され、第１の色で印刷濃度を所定濃度ずつ増加させたｎ種類の画像を順に列方向に印刷し、列方向に順に印刷されたｎ種類の画像をそれぞれ各行に印刷し、第２の色で印刷濃度を所定濃度ずつ増加させたｎ種類で各ｎ個の画像を各種類毎にそれぞれ順にｎ−１行置きに印刷し、ｎ−１行置きに印刷されたｎ種類で各ｎ個の画像をそれぞれ各列に印刷し、第３の色で印刷濃度を所定濃度ずつ増加させたｎ種類で各ｎ個の画像を各種類毎にそれぞれ順にｎ行ずつ印刷し、ｎ行ずつ印刷されたｎ種類で各ｎ個の画像をそれぞれ各列に印刷することで、桝目には濃度の異なる、第１の色、第２の色、第３の色を重ねたハーフトーンの色見本が印刷されることで、濃度調整を短時間で行える。
【図面の簡単な説明】
【図１】カラー画像記録装置の制御ブロック図である。
【図２】カラー画像記録装置の概略図（１）である。
【図３】カラー画像記録装置の概略図（２）である。
【図４】現像ローラのバイアス電圧とトナー濃度との関係を示す特性図である。
【図５】濃度調整テーブルの説明図（１）である。
【図６】カラーサンプルシートの説明図（１）である。
【図７】濃度調整モードの動作を示すフローチャート（１）である。
【図８】カラーサンプルシートの説明図（２）である。
【図９】濃度調整テーブルの説明図（２）である。
【図１０】濃度調整モードの動作を示すフローチャート（２）である。
【図１１】第３の実施の形態による印刷制御回路とＬＥＤヘッドとを示す構成図である。
【図１２】カラーサンプルシートの説明図である。
【図１３】露光時間の説明図である。
【図１４】第３の実施の形態による露光タイミングチャート（１）である。
【図１５】第３の実施の形態による露光タイミングチャート（２）である。
【図１６】第４の実施の形態によるカラーサンプルシートの説明図である。
【符号の説明】
５４  操作部
６１  制御回路
６１ａ  指示値格納レジスタ
７７  濃度調整テーブル格納部
【図１】
0003638870.tif 000002
【図２】
0003638870.tif 000003
【図３】
0003638870.tif 000004
【図４】
0003638870.tif 000005
【図５】
0003638870.tif 000006
【図６】
0003638870.tif 000007
【図７】
0003638870.tif 000008
【図８】
0003638870.tif 000009
【図９】
0003638870.tif 000010
【図１０】
0003638870.tif 000011
【図１１】
0003638870.tif 000012
【図１２】
0003638870.tif 000013
【図１３】
0003638870.tif 000014
【図１４】
0003638870.tif 000015
【図１５】
0003638870.tif 000016
【図１６】
0003638870.tif 000017